(57)【要約】【課題】ユーザーに対して提示する目標カロリー量の信頼性を十分に確保できる健康管理システムを提供する。【解決手段】本発明に係る健康管理システム１００は、複数の入力端末４０と、複数の入力端末４０の各々と通信可能なサーバ装置５０とを備える。ユーザーがダイエットを開始するとき、当該ユーザーの入力端末４０は、当該ユーザーの目標設定用データを取得してサーバ装置５０に送信する。目標設定用データには、目標消費カロリー増量と、当初体重と、ダイエット期間と、目標体重とが含まれ、サーバ装置５０は、受信したダイエット期間に対応する他のユーザーのデータをデータベース部５２から抽出し、その抽出したデータに基づいて推定式を作成する。そして、サーバ装置５０は、目標消費カロリー増量と、当初体重と、目標体重とを受信すると、当該推定式を用いて当該ユーザーの目標摂取カロリー減量を算出する。【選択図】      図６
2011123582.tif 000002
【特許請求の範囲】
【請求項１】
複数の入力端末と、前記複数の入力端末の各々と通信可能なサーバ装置と、を備えた健康管理システムであって、
前記複数の入力端末の各々は、目標設定用データ、健康管理開始後のユーザーの体重を含む体組成に関する情報、前記健康管理開始後の前記ユーザーの消費カロリー量、前記健康管理開始後の前記ユーザーの摂取カロリー量、を取得して送信する取得部を有し、
前記目標設定用データは、摂取カロリー量の目標減量を示す目標摂取カロリー減量および消費カロリー量の目標増量を示す目標消費カロリー増量の何れか一方、または、前記目標摂取カロリー減量と前記目標消費カロリー増量との比を示す比情報と、前記健康管理を実行する期間を示す健康管理期間と、前記健康管理開始時点での体重を示す当初体重と、目標体重と、前記健康管理開始時点での摂取カロリー量および消費カロリー量とを含み、
前記サーバ装置は、
前記複数の入力端末の各々から順次に送信されてくるデータを蓄積して記憶するデータベース部と、
あるユーザーの前記健康管理期間を受信すると、前記データベース部に蓄積されたデータから、当該受信した前記健康管理期間に対応する他のユーザーのデータを抽出する抽出部と、
前記抽出部にて抽出された前記他のユーザーのデータに基づいて、所定の体重を減らすのに減らした摂取カロリー量を示す単位摂取カロリー減量、および、所定の体重を減らすのに増やした消費カロリー量を示す単位消費カロリー増量と、前記健康管理期間における体重変化を示す指標と、の関係を示す推定式を、統計的手法により作成する推定式作成部と、
前記あるユーザーの前記目標摂取カロリー減量および前記目標消費カロリー増量の何れか一方または前記比情報と、前記当初体重と、前記目標体重とを受信すると、前記推定式を用いて、前記目標摂取カロリー減量および前記目標消費カロリー増量の何れか他方、または、前記目標摂取カロリー減量および前記目標消費カロリー増量の両方を算出する算出部と、を有する、
ことを特徴とする健康管理システム。
【請求項２】
前記複数の入力端末と１対１に対応する複数の体組成計と、
前記複数の入力端末と１対１に対応する複数の活動量計と、
前記複数の入力端末と１対１に対応する複数の可搬の中間通信媒体と、をさらに備え、
前記各体組成計は、
前記ユーザーの前記体組成に関する情報を測定する第１測定部と、
前記第１測定部で測定されたデータを前記中間通信媒体に送信する第１送信部と、を有し、
前記各活動量計は、
前記ユーザーの消費カロリー量を測定する第２測定部と、
前記第２測定部で測定されたデータを前記中間通信媒体に送信する第２送信部と、を有し、
前記各中間通信媒体は、
前記体組成計および前記活動量計から送信されるデータを受信する受信部と、
前記受信部で受信したデータを記憶する第１記憶部と、
前記入力端末と接続可能な第１コネクタと、
前記第１コネクタが前記入力端末に接続されると、前記第１記憶部に記憶されたデータを、前記第１コネクタを介して前記入力端末へ送信するように制御する送信制御部と、を有し、
前記各入力端末における前記取得部は、
前記第１コネクタと接続可能な第２コネクタと、
前記第２コネクタが前記第１コネクタと接続されると、前記中間通信媒体から送信されるデータを、前記第２コネクタを介して受信するように制御する受信制御部と、を含む、
ことを特徴とする請求項１に記載の健康管理システム。
【請求項３】
前記複数の入力端末と１対１に対応する複数の体組成計と、
前記複数の入力端末と１対１に対応する複数の活動量計と、
前記複数の入力端末と１対１に対応する複数の可搬の中間通信媒体と、をさらに備え、
前記各体組成計は、
前記ユーザーの前記体組成に関する情報を測定する第１測定部と、
前記第１測定部で測定されたデータを前記中間通信媒体に送信する第１送信部と、を有し、
前記各活動量計は、
前記ユーザーの消費カロリー量を測定する第２測定部と、
前記第２測定部で測定されたデータを前記中間通信媒体に送信する第２送信部と、を有し、
前記各中間通信媒体は、
前記体組成計および前記活動量計から送信されるデータを受信する受信部と、
前記受信部で受信したデータを記憶する第１記憶部と、
前記第１記憶部に記憶されたデータを前記入力端末へ送信する第３送信部と、を有し、
前記各入力端末における前記取得部は、
前記中間通信媒体から送信されるデータを受信する第２受信部を含む、
ことを特徴とする請求項１に記載の健康管理システム。
【請求項４】
前記各入力端末における前記取得部は、前記ユーザーの操作に応じて、前記ユーザーの前記体組成に関する情報、前記ユーザーの消費カロリー量、前記目標設定用データおよび前記健康管理開始後の前記ユーザーの摂取カロリー量を前記入力端末に入力可能な入力部を含む、
ことを特徴とする請求項１に記載の健康管理システム。
【請求項５】
活動量計がユーザーごとに設けられ、体組成計、前記体組成計および前記活動量計と通信可能な通信装置、ならびに入力端末が一又は複数のユーザーごとに設けられ、前記各通信装置および前記各入力端末とネットワークを介して通信可能なサーバ装置を備えた健康管理システムであって、
前記各体組成計は、
前記ユーザーの体重を含む体組成に関する情報を測定する第１測定部と、
前記第１測定部で測定されたデータを前記通信装置へ送信する第１送信部と、を有し、
前記各活動量計は、
前記ユーザーの消費カロリー量を測定する第２測定部と、
前記第２測定部で測定されたデータを前記通信装置へ送信する第２送信部と、を有し、
前記各通信装置は、
前記体組成計および前記活動量計から送信されるデータを前記サーバ装置へ転送する第１転送部を有し、
前記各入力端末は、
目標設定用データおよび健康管理開始後の前記ユーザーの摂取カロリー量を取得する第２取得部と、
前記第２取得部で取得されたデータを前記サーバ装置へ送信する第４送信部と、を有し、
前記目標設定用データは、摂取カロリー量の目標減量を示す目標摂取カロリー減量および消費カロリー量の目標増量を示す目標消費カロリー増量の何れか一方、または、前記目標摂取カロリー減量と前記目標消費カロリー増量との比を示す比情報と、前記健康管理を実行する期間を示す健康管理期間と、目標体重と、前記健康管理開始時点での摂取カロリー量および消費カロリー量とを含み、
前記サーバ装置は、
前記各通信装置および前記各入力端末から順次に送信されてくるデータを蓄積して記憶するデータベース部と、
あるユーザーの前記健康管理期間を受信すると、前記データベース部に蓄積されたデータから、当該受信した前記健康管理期間に対応する他のユーザーのデータを抽出する抽出部と、
前記抽出部にて抽出された前記他のユーザーのデータに基づいて、所定の体重を減らすのに減らした摂取カロリー量を示す単位摂取カロリー減量、および、所定の体重を減らすのに増やした消費カロリー量を示す単位消費カロリー増量と、前記健康管理期間における体重変化を示す指標と、の関係を示す推定式を、統計的手法により作成する推定式作成部と、
前記あるユーザーの前記目標摂取カロリー減量および前記目標消費カロリー増量の何れか一方または前記比情報と、前記健康管理開始時点での体重を示す当初体重と、前記目標体重とを受信すると、前記推定式を用いて、前記目標摂取カロリー減量および前記目標消費カロリー増量の何れか他方、または、前記目標摂取カロリー減量および前記目標消費カロリー増量の両方を算出する算出部と、を有する、
ことを特徴とする健康管理システム。
【請求項６】
前記サーバ装置は、
前記推定式作成部で作成された前記推定式を、前記健康管理期間に対応付けて記憶する第２記憶部と、
受信した前記健康管理期間に対応する前記推定式が前記第２記憶部に存在する場合は、前記抽出部によるデータの抽出を行なわないように制御するとともに、当該受信した前記健康管理期間に対応する前記推定式を前記第２記憶部から読み出して前記算出部に渡すように制御する制御部と、を備える、
ことを特徴とする請求項１から請求項５の何れかに記載の健康管理システム。
【請求項７】
前記サーバ装置は、
前記第２記憶部に記憶された前記推定式を、所定のタイミングで消去する消去部をさらに備える、
ことを特徴とする請求項５に記載の健康管理システム。
【請求項８】
複数の入力端末と、前記複数の入力端末の各々と通信可能なサーバ装置と、を備えた健康管理システムであって、
前記複数の入力端末の各々は、目標設定用データ、健康管理開始後のユーザーの体重を含む体組成に関する情報、前記健康管理開始後の前記ユーザーの消費カロリー量、前記健康管理開始後の前記ユーザーの摂取カロリー量、を取得して送信する取得部を有し、
前記目標設定用データは、摂取カロリー量の目標減量を示す目標摂取カロリー減量および消費カロリー量の目標増量を示す目標消費カロリー増量の何れか一方、または、前記目標摂取カロリー減量と前記目標消費カロリー増量との比を示す比情報と、前記健康管理を実行する期間を示す健康管理期間と、前記健康管理開始時点での体重を示す当初体重と、目標体重と、前記健康管理開始時点での摂取カロリー量および消費カロリー量とを含み、
前記サーバ装置は、
前記複数の入力端末の各々から順次に送信されてくるデータを蓄積して記憶するデータベース部と、
所定の体重を減らすのに減らした摂取カロリー量を示す単位摂取カロリー減量、および、所定の体重を減らすのに増やした消費カロリー量を示す単位消費カロリー増量と、前記健康管理期間における体重変化を示す指標と、の関係を示す推定式が、複数種類の前記健康管理期間ごとに、前記データベース部のデータに基づいて統計的手法により予め作成されて保持される推定式保持部と、
あるユーザーの前記健康管理期間を受信すると、当該受信した前記健康管理期間に対応する前記推定式を前記推定式保持部から読み出す読出部と、
前記あるユーザーの前記目標摂取カロリー減量および前記目標消費カロリー増量の何れか一方または前記比情報と、前記当初体重と、前記目標体重とを受信すると、前記読出部で読み出された前記推定式を用いて、前記目標摂取カロリー減量および前記目標消費カロリー増量のうちの何れか他方、または、前記目標摂取カロリー減量および前記目標消費カロリー増量の両方を算出する算出部と、を有する、
ことを特徴とする健康管理システム。
【請求項９】
活動量計がユーザーごとに設けられ、体組成計、前記体組成計および前記活動量計と通信可能な通信装置、ならびに入力端末が一又は複数のユーザーごとに設けられ、前記各通信装置および前記各入力端末とネットワークを介して通信可能なサーバ装置を備えた健康管理システムであって、
前記各体組成計は、
ユーザーの体重を含む体組成に関する情報を測定する第１測定部と、
前記第１測定部で測定されたデータを前記通信装置へ送信する第１送信部と、を有し、
前記各活動量計は、
前記ユーザーの消費カロリー量を測定する第２測定部と、
前記第１測定部で測定されたデータを前記通信装置へ送信する第２送信部と、を有し、
前記各通信装置は、
前記体組成計および前記活動量計から送信されるデータを前記サーバ装置へ転送する第２転送部を有し、
前記各入力端末は、
目標設定用データおよび健康管理開始後の前記ユーザーの摂取カロリー量を取得する第２取得部と、
前記第２取得部で取得されたデータを前記サーバ装置へ送信する第４送信部と、を有し、
前記目標設定用データは、摂取カロリー量の目標減量を示す目標摂取カロリー減量および消費カロリー量の目標増量を示す目標消費カロリー増量の何れか一方、または、前記目標摂取カロリー減量と前記目標消費カロリー増量との比を示す比情報と、前記健康管理を実行する期間を示す健康管理期間と、目標体重と、前記健康管理開始時点での摂取カロリー量および消費カロリー量とを含み、
前記サーバ装置は、
前記各通信装置および前記各入力端末から順次に送信されてくるデータを蓄積して記憶するデータベース部と、
所定の体重を減らすのに減らした摂取カロリー量を示す単位摂取カロリー減量、および、所定の体重を減らすのに増やした消費カロリー量を示す単位消費カロリー増量と、前記健康管理期間における体重変化を示す指標と、の関係を示す推定式が、複数種類の前記健康管理期間ごとに、前記データベース部のデータに基づいて統計的手法により予め作成されて保持される推定式保持部と、
あるユーザーの前記健康管理期間を受信すると、当該受信した前記健康管理期間に対応する前記推定式を前記推定式保持部から読み出す読出部と、
前記あるユーザーの前記目標摂取カロリー減量および前記目標消費カロリー増量の何れか一方または前記比情報と、前記健康管理開始時点での体重を示す当初体重と、前記目標体重とを受信すると、前記読出部で読み出された前記推定式を用いて、前記目標摂取カロリー減量および前記目標消費カロリー増量のうちの何れか他方、または、前記目標摂取カロリー減量および前記目標消費カロリー増量の両方を算出する算出部と、を有する、
ことを特徴とする健康管理システム。
【請求項１０】
前記推定式保持部で保持される前記複数種類の前記推定式を、所定のタイミングで更新する更新部をさらに備える、
ことを特徴とする請求項８または請求項９に記載の健康管理システム。
【請求項１１】
前記推定式は、
前記単位摂取カロリー減量および前記単位消費カロリー増量を説明変数、前記健康管理期間における体重変化を示す指標を目的変数とする回帰式である、
ことを特徴とする請求項１から請求項１０の何れかに記載の健康管理システム。
【発明の詳細な説明】
【技術分野】
【０００１】
本発明は、ユーザーの健康を管理するための健康管理システムに関する。
【背景技術】
【０００２】
従来、ユーザーの入力データに基づいて、ダイエット開始後の当該ユーザーの目標カロリー量を算出する健康管理システムが知られている。例えば特許文献１に開示された健康管理システムは、ユーザーのダイエット開始時点での体重および目標体重が入力されると、目標体重変化量と同量の脂肪を燃焼させるために必要な目標総エネルギーを算出する。そして、算出した目標総エネルギーからダイエット開始後のユーザーの目標カロリー量を算出してユーザーに提示するという具合である。
【先行技術文献】
【特許文献】
【０００３】
【特許文献１】特開２００６−２８５７０６号公報
【発明の概要】
【発明が解決しようとする課題】
【０００４】
特許文献１に開示された技術では、所定量（1kg）の脂肪を燃焼させるのに必要なエネルギーは予め設定された値（7000kcal）に固定されている。しかしながら、ユーザーの中には、太り易い体質の人もいれば、太りにくい体質の人もいる。つまり、特許文献１に開示された技術では、ユーザーの体質の個人差については全く考慮していないため、ユーザーに対して提示する目標カロリー量の信頼性が十分ではないという問題があった。
【０００５】
本発明は上述の事情に鑑みてなされたものであり、ユーザーに対して提示する目標カロリー量の信頼性を十分に確保できる健康管理システムを提供することを解決課題とする。
【課題を解決するための手段】
【０００６】
本発明に係る健康管理システムの第１の形態は、複数の入力端末と、複数の入力端末の各々と通信可能なサーバ装置と、を備えた健康管理システムであって、複数の入力端末の各々は、目標設定用データ、健康管理開始後のユーザーの体重を含む体組成に関する情報（体組成データ）、健康管理開始後のユーザーの消費カロリー量、健康管理開始後のユーザーの摂取カロリー量、を取得して送信する取得部（第２コネクタ４２、入力部４４、送受信部４６、制御部４８）を有し、目標設定用データは、摂取カロリー量の目標減量を示す目標摂取カロリー減量および消費カロリー量の目標増量を示す目標消費カロリー増量の何れか一方、または、目標摂取カロリー減量と目標消費カロリー増量との比を示す比情報と、健康管理を実行する期間を示す健康管理期間（ダイエット期間）と、健康管理開始時点での体重を示す当初体重と、目標体重と、健康管理開始時点での摂取カロリー量および消費カロリー量とを含み、サーバ装置は、複数の入力端末の各々から順次に送信されてくるデータを蓄積して記憶するデータベース部と、あるユーザーの健康管理期間を受信すると、データベース部に蓄積されたデータから、当該受信した健康管理期間に対応する他のユーザーのデータを抽出する抽出部と、抽出部にて抽出された他のユーザーのデータに基づいて、所定の体重を減らすのに減らした摂取カロリー量を示す単位摂取カロリー減量、および、所定の体重を減らすのに増やした消費カロリー量を示す単位消費カロリー増量と、健康管理期間における体重変化を示す指標と、の関係を示す推定式を、統計的手法により作成する推定式作成部と、あるユーザーの目標摂取カロリー減量および目標消費カロリー増量の何れか一方または比情報と、当初体重と、目標体重とを受信すると、推定式を用いて、目標摂取カロリー減量および目標消費カロリー増量の何れか他方、または、目標摂取カロリー減量および目標消費カロリー増量の両方を算出する算出部と、を有することを特徴とする。
【０００７】
本発明においては、ユーザーが健康管理（ダイエット）を開始するとき、サーバ装置は、他のユーザーのデータに基づいて、単位摂取カロリー減量および単位消費カロリー増量と、健康管理期間における体重変化を示す指標との関係を示す推定式を統計的手法により作成し、その作成した推定式と当該ユーザーの目標設定用データとを用いて当該ユーザーの目標カロリー量を算出する。当該ユーザーの目標消費カロリー増量などの目標設定用データは、他のユーザーと異なることが想定されるが、当該ユーザーの目標設定用データを上述の推定式に代入することで、当該ユーザーの目標設定用データに応じた目標カロリー量を算出することができる。これにより、ユーザーごとに算出される目標カロリー量の信頼性を十分に確保できるという利点がある。
また、本発明においては、ユーザーが健康管理を開始するとき、サーバ装置は、当該ユーザーの健康管理期間（ダイエット期間）に対応した他のユーザーのデータをデータベース部から抽出し、その抽出したデータに基づいて上記推定式を作成する。つまり、サーバ装置が作成する推定式は、当該ユーザーの健康管理期間に応じたものとなる。例えば上記推定式が、単位摂取カロリー減量および単位消費カロリー増量を説明変数、健康管理期間における体重変化を示す指標を目的変数とする回帰式で表される場合は、当該回帰式の係数は、当該ユーザーの健康管理期間に応じて可変に設定されるという具合である。本発明によれば、ユーザーの健康管理期間に応じた推定式を用いて目標カロリーを算出することで、当該目標カロリー量の信頼性をさらに向上させることができる。
また、本発明に係る健康管理システムの利用者が増加するほど、データベース部に蓄積されるデータも増加する。上記回帰式の係数は、データベース部に蓄積されたデータに応じて変化し、データベース部に蓄積されたデータが多いほど、当該回帰式の精度は向上する。すなわち、本発明に係る健康管理システムの利用者が増加するほど、上記回帰式の精度は向上し、当該回帰式を用いて算出される目標カロリー量の信頼性も向上する。
【０００８】
なお、上述の健康管理システムにおいて、健康管理開始時点よりも所定期間（例えば１年間）だけ前の過去体重を目標設定用データに含めてもよい。この態様では、サーバ装置は、他のユーザーのデータに基づいて、健康管理を開始する前の上記所定期間における体重変化の割合を示す増減割合、単位摂取カロリー減量および単位消費カロリー増量と、健康管理期間における体重変化を示す指標との関係を示す推定式を統計的手法により作成する。そして、サーバ装置は、当該推定式を用いて目標カロリー量を算出する。つまり、上記過去体重を目標設定用データに含めることによって、ユーザーごとの増減割合の相違（例えば、過去体重が55kgで健康管理開始時点の体重が60kgの人と、過去体重が65kgで健康管理開始時点の体重が60kgの人との相違）を、算出された目標カロリー量に反映させることができる。したがって、算出された目標カロリー量の信頼性をさらに向上させることができるという利点がある。
【０００９】
上述の第１の形態の具体的な態様として、複数の入力端末と１対１に対応する複数の体組成計と、複数の入力端末と１対１に対応する複数の活動量計と、複数の入力端末と１対１に対応する複数の可搬の中間通信媒体と、をさらに備え、各体組成計は、ユーザーの体組成に関する情報を測定する第１測定部（体重測定部１１、生体インピーダンス測定部１２）と、第１測定部で測定されたデータを中間通信媒体に送信する第１送信部（送受信部１４）と、を有し、各活動量計は、ユーザーの消費カロリー量を測定する第２測定部（加速度センサ２１、制御部２６）と、第２測定部で測定されたデータを中間通信媒体に送信する第２送信部（送受信部２６）と、を有し、各中間通信媒体は、体組成計および活動量計から送信されるデータを受信する受信部（送受信部３１）と、受信部で受信したデータを記憶する第１記憶部（メモリ３５）と、入力端末と接続可能な第１コネクタと、第１コネクタが前記入力端末に接続されると、第１記憶部に記憶されたデータを、第１コネクタを介して入力端末へ送信するように制御する送信制御部（制御部３７）と、を有し、各入力端末における取得部は、第１コネクタと接続可能な第２コネクタと、第２コネクタが第１コネクタと接続されると、中間通信媒体から送信されるデータを、第２コネクタを介して受信するように制御する受信制御部（制御部４６）と、を含む。この態様においては、入力端末は、ユーザーの体組成データや消費カロリー量を、中間通信媒体３０を介して取得することができる。
【００１０】
また、中間通信媒体と入力端末との間のデータの送受信が無線通信によって行われる態様とすることもできる。つまり、本発明に係る健康管理システムの態様として、複数の入力端末と１対１に対応する複数の体組成計と、複数の入力端末と１対１に対応する複数の活動量計と、複数の入力端末と１対１に対応する複数の可搬の中間通信媒体と、をさらに備え、各体組成計は、ユーザーの体組成に関する情報を測定する第１測定部と、第１測定部で測定されたデータを中間通信媒体に送信する第１送信部と、を有し、各活動量計は、ユーザーの消費カロリー量を測定する第２測定部と、第２測定部で測定されたデータを中間通信媒体に送信する第２送信部と、を有し、各中間通信媒体は、体組成計および活動量計から送信されるデータを受信する受信部と、受信部で受信したデータを記憶する第１記憶部と、第１記憶部に記憶されたデータを入力端末へ送信する第３送信部（図１７の送受信部３９）と、を有し、各入力端末における取得部は、中間通信媒体から送信されるデータを受信する第２受信部（図１７の送受信部４７）を含む。
【００１１】
また、ユーザーの入力部の操作に応じて、当該ユーザーの体組成データや消費カロリー量が入力端末に入力される態様とすることもできる。すなわち、各入力端末における取得部には、ユーザーの操作に応じて、ユーザーの体組成に関する情報、ユーザーの消費カロリー量、目標設定用データおよび健康管理開始後のユーザーの摂取カロリー量を入力端末に入力可能な入力部が含まれる態様とすることもできる。
【００１２】
本発明に係る健康管理システムの第２の形態は、活動量計がユーザーごとに設けられ、体組成計、前記体組成計および前記活動量計と通信可能な通信装置（図１２の中間通信媒体３０）、ならびに入力端末が一又は複数のユーザーごとに設けられ、各通信装置および各入力端末とネットワークを介して通信可能なサーバ装置を備えた健康管理システムであって、各体組成計は、ユーザーの体重を含む体組成に関する情報を測定する第１測定部と、第１測定部で測定されたデータを通信装置へ送信する第１送信部と、を有し、各活動量計は、ユーザーの消費カロリー量を測定する第２測定部と、第２測定部で測定されたデータを通信装置へ送信する第２送信部と、を有し、各通信装置は、体組成計および活動量計から送信されるデータをサーバ装置へ転送する第１転送部（図１２の送受信部３８）を有し、各入力端末は、目標設定用データおよび健康管理開始後のユーザーの摂取カロリー量を取得する第２取得部と、第２取得部で取得されたデータをサーバ装置へ送信する第４送信部（送受信部４６）と、を有し、目標設定用データは、摂取カロリー量の目標減量を示す目標摂取カロリー減量および消費カロリー量の目標増量を示す目標消費カロリー増量の何れか一方、または、目標摂取カロリー減量と目標消費カロリー増量との比を示す比情報と、健康管理を実行する期間を示す健康管理期間と、目標体重と、健康管理開始時点での摂取カロリー量および消費カロリー量とを含み、サーバ装置は、各通信装置および各入力端末から順次に送信されてくるデータを蓄積して記憶するデータベース部と、あるユーザーの健康管理期間を受信すると、データベース部に蓄積されたデータから、当該受信した健康管理期間に対応する他のユーザーのデータを抽出する抽出部と、抽出部にて抽出された他のユーザーのデータに基づいて、所定の体重を減らすのに減らした摂取カロリー量を示す単位摂取カロリー減量、および、所定の体重を減らすのに増やした消費カロリー量を示す単位消費カロリー増量と、健康管理期間における体重変化を示す指標と、の関係を示す推定式を、統計的手法により作成する推定式作成部と、あるユーザーの目標摂取カロリー減量および目標消費カロリー増量の何れか一方または前記比情報と、健康管理開始時点での体重を示す当初体重と、目標体重とを受信すると、推定式を用いて、目標摂取カロリー減量および目標消費カロリー増量の何れか他方、または、目標摂取カロリー減量および目標消費カロリー増量の両方を算出する算出部と、を有することを特徴とする。
第２の形態においては、通信装置は、体組成計および活動量計からデータを受信すると、その受信したデータをサーバ装置へ転送する。つまり、第２の形態における通信装置は、上述の第１の形態とは異なり、体組成計および活動量計から受信したデータを記憶しておく必要は無い。したがって、第２の形態によれば、体組成計および活動量計から受信したデータを記憶するための記憶手段を通信装置内に設ける必要は無いから、第１の形態に比べて構成を簡素化できるという利点がある。
この形態においては、活動量計はユーザーごとに設けられる一方、体組成計、通信装置および入力端末が一又は複数のユーザーごとに設けられる。ここで、複数のユーザーとは、例えば、家族であり、この場合は、家族で体組成計などを共用することになる。あるいは、フィットネスクラブに属する複数の会員で一台の体組成計などを共用してもよい。活動量計は個々人の消費カロリーを計測する必要があるため、ユーザーごとに使用される必要があるが、体組成計など複数のユーザーで共用することが可能である。尤も、体組成計などをユーザーごとに設けてもよい。
【００１３】
上述の第１の形態および第２の形態の態様として、サーバ装置は、推定式作成部で作成された推定式を、健康管理期間に対応付けて記憶する第２記憶部と、受信した健康管理期間に対応する推定式が第２記憶部に存在する場合は、抽出部によるデータの抽出を行なわないように制御するとともに、当該受信した健康管理期間に対応する推定式を第２記憶部から読み出して算出部に渡すように制御する制御部と、を備える。この態様によれば、サーバ装置は、受信した健康管理期間に対応する推定式が第２記憶部に存在する場合は、当該受信した健康管理期間に対応する他のユーザーのデータをデータベース部から抽出して推定式を作成する必要が無いから、各入力端末から健康管理期間を受信するたびに、当該受信した健康管理期間に対応する他のユーザーのデータをデータベース部から抽出して推定式を作成する態様に比べて、サーバ装置の処理負荷を軽減できるという利点がある。
さらに、サーバ装置は、第２記憶部に記憶された推定式を、所定のタイミングで消去する消去部をさらに備えることもできる。この態様によれば、第２記憶部に記憶される推定式を、データベース部の最新のデータに基づいたものに更新できるという利点がある。
【００１４】
上述の第１の形態および第２の形態においては、推定式は自動的に作成されるが、これに限らず、推定式が手動で作成される態様とすることもできる。より具体的には、本発明に係る健康管理システムの第３の形態は、複数の入力端末と、複数の入力端末の各々と通信可能なサーバ装置と、を備えた健康管理システムであって、複数の入力端末の各々は、目標設定用データ、健康管理開始後のユーザーの体重を含む体組成に関する情報、健康管理開始後のユーザーの消費カロリー量、健康管理開始後のユーザーの摂取カロリー量、を取得して送信する取得部を有し、目標設定用データは、摂取カロリー量の目標減量を示す目標摂取カロリー減量および消費カロリー量の目標増量を示す目標消費カロリー増量の何れか一方、または、目標摂取カロリー減量と目標消費カロリー増量との比を示す比情報と、健康管理を実行する期間を示す健康管理期間と、健康管理開始時点での体重を示す当初体重と、目標体重と、健康管理開始時点での摂取カロリー量および消費カロリー量とを含み、サーバ装置は、複数の入力端末の各々から順次に送信されてくるデータを蓄積して記憶するデータベース部と、所定の体重を減らすのに減らした摂取カロリー量を示す単位摂取カロリー減量、および、所定の体重を減らすのに増やした消費カロリー量を示す単位消費カロリー増量と、健康管理期間における体重変化を示す指標と、の関係を示す推定式が、複数種類の健康管理期間ごとに、データベース部のデータに基づいて統計的手法により予め作成されて保持される推定式保持部と、あるユーザーの健康管理期間を受信すると、当該受信した健康管理期間に対応する推定式を推定式保持部から読み出す読出部と、あるユーザーの目標摂取カロリー減量および目標消費カロリー増量の何れか一方または比情報と、当初体重と、目標体重とを受信すると、読出部で読み出された推定式を用いて、目標摂取カロリー減量および目標消費カロリー増量のうちの何れか他方、または、目標摂取カロリー減量および目標消費カロリー増量の両方を算出する算出部と、を有することを特徴とする。
この形態によれば、複数種類の健康管理期間と１対１に対応する複数種類の推定式が予め作成されて推定式保持部に保持されるから、第１の形態および第２の形態のように、サーバ装置が、ユーザーの健康管理期間を受信するたびに、当該受信した健康管理期間に対応するデータを抽出して推定式を作成する態様に比べて、サーバ装置の処理負荷を軽減できるという利点がある。
【００１５】
さらに、本発明に係る健康管理システムの第４の形態は、活動量計がユーザーごとに設けられ、体組成計、前記体組成計および前記活動量計と通信可能な通信装置（図１２の中間通信媒体３０）、ならびに入力端末が一又は複数のユーザーごとに設けられ、各通信装置および各入力端末とネットワークを介して通信可能なサーバ装置を備えた健康管理システムであって、各体組成計は、ユーザーの体重を含む体組成に関する情報を測定する第１測定部と、第１測定部で測定されたデータを通信装置へ送信する第１送信部と、を有し、各活動量計は、ユーザーの消費カロリー量を測定する第２測定部と、第１測定部で測定されたデータを通信装置へ送信する第２送信部と、を有し、各通信装置は、体組成計および活動量計から送信されるデータをサーバ装置へ転送する第２転送部を有し、各入力端末は、目標設定用データおよび健康管理開始後のユーザーの摂取カロリー量を取得する第２取得部と、第２取得部で取得されたデータをサーバ装置へ送信する第４送信部と、を有し、目標設定用データは、摂取カロリー量の目標減量を示す目標摂取カロリー減量および消費カロリー量の目標増量を示す目標消費カロリー増量の何れか一方、または、目標摂取カロリー減量と目標消費カロリー増量との比を示す比情報と、健康管理を実行する期間を示す健康管理期間と、目標体重と、健康管理開始時点での摂取カロリー量および消費カロリー量とを含み、サーバ装置は、各通信装置および各入力端末から順次に送信されてくるデータを蓄積して記憶するデータベース部と、所定の体重を減らすのに減らした摂取カロリー量を示す単位摂取カロリー減量、および、所定の体重を減らすのに増やした消費カロリー量を示す単位消費カロリー増量と、健康管理期間における体重変化を示す指標と、の関係を示す推定式が、複数種類の健康管理期間ごとに、データベース部のデータに基づいて統計的手法により予め作成されて保持される推定式保持部と、あるユーザーの健康管理期間を受信すると、当該受信した健康管理期間に対応する推定式を推定式保持部から読み出す読出部と、あるユーザーの目標摂取カロリー減量および目標消費カロリー増量の何れか一方または比情報と、健康管理開始時点での体重を示す当初体重と、目標体重とを受信すると、読出部で読み出された推定式を用いて、目標摂取カロリー減量および目標消費カロリー増量のうちの何れか他方、または、目標摂取カロリー減量および目標消費カロリー増量の両方を算出する算出部と、を有することを特徴とする。
この形態においては、上述の第２の形態と同様に、通信装置は、体組成計および活動量計からデータを受信すると、その受信したデータをサーバ装置へ転送する。すなわち、体組成計および活動量計から受信したデータを記憶するための記憶手段を通信装置内に設ける必要は無いから、構成を簡素化できるという利点がある。
【００１６】
上述の第３の形態および第４の形態の態様として、推定式保持部で保持される複数種類の推定式を、所定のタイミングで更新する更新部をさらに備える。この態様によれば、推定式保持部に保持される複数種類の推定式を、データベース部の最新のデータに基づいたものに更新できるという利点がある。
【図面の簡単な説明】
【００１７】
【図１】本発明の第１実施形態に係る健康管理システムの概略構成を示すブロック図である。
【図２】体組成計の使用方法を説明するための図である。
【図３】活動量計の初期設定を説明するための図である。
【図４】活動量計と中間通信媒体との間のデータの送受信方法を説明するための図である。
【図５】サーバ装置のデータベース部にデータを記録する方法を説明するための図である。
【図６】サーバ装置が実行する目標設定処理の具体的な内容を示すフローチャートである。
【図７】サーバ装置の抽出部にて抽出されたデータを示す図である。
【図８】サーバ装置が実行するガイド処理の具体的な内容を示すフローチャートである。
【図９】他のユーザーの体重の推移を示す図である。
【図１０】ダイエット開始から現在に至るまでの体重の推移を示す図である。
【図１１】ダイエット開始から現在に至るまでの各日における摂取差分および消費差分を示す図である。
【図１２】本発明の第２実施形態に係る健康管理システムの概略構成を示すブロック図である。
【図１３】体組成計の使用方法を説明するための図である。
【図１４】活動量計の初期設定を説明するための図である。
【図１５】活動量計の使用方法を説明するための図である。
【図１６】サーバ装置の変形例を示す図である。
【図１７】中間通信媒体および入力端末の変形例を示す図である。
【発明を実施するための形態】
【００１８】
＜Ａ：第１実施形態＞
＜Ａ−１：構成＞
図１は本発明の第１実施形態に係る健康管理システム１００の概略構成を示すブロック図である。図１に示すように、健康管理システム１００は、複数のユーザー装置Ａと、各ユーザー装置Ａとインターネットなどのネットワークを介して通信可能なサーバ装置５０とを備える。複数のユーザー装置Ａは複数のユーザーと１対１に対応して設けられる。図１に示すように、各ユーザー装置Ａは、体組成計１０と、活動量計２０と、体組成計１０および活動量計２０と通信可能な中間通信媒体３０と、中間通信媒体３０と通信可能な入力端末４０とを含んで構成される。本実施形態に係る健康管理システム１００はダイエットに利用されるものであり、ユーザーがダイエットを開始するとき、当該ユーザーが使用する入力端末４０は、当該ユーザーの目標設定用データを取得してサーバ装置５０へ送信する。サーバ装置５０は、当該受信した目標設定用データを用いて当該ユーザーのダイエット開始後の目標カロリー量を算出する。また、ダイエット開始後のユーザーの体重などのデータは、サーバ装置５０に順次に記録され、サーバ装置５０によって管理される。以下では、本実施形態に係る健康管理システム１００に含まれる各要素の具体的な構成を説明する。
なお、この例では、ユーザー装置Ａがユーザーごとに設けられるシステムを例示するが、活動量計２０をユーザーごとに設ける一方、体組成計１０、中間通信媒体３０（通信装置）および入力端末４０を一又は複数のユーザーごとに設けてもよい。複数のユーザーとは、例えば、家族であり、この場合は、家族で体組成計１０などを共用することになる。あるいは、フィットネスクラブに属する複数の会員で一台の体組成計１０などを共用してもよい。活動量計２０は個々人の消費カロリーを計測する必要があるため、ユーザーごとに使用される必要があるが、体組成計１０などは複数のユーザーで共用することが可能である。
【００１９】
各ユーザー装置Ａにおける体組成計１０は、ユーザーの体重を含む体組成に関する情報を測定する手段である。図１に示すように、体組成計１０は、ユーザーの体重を測定する体重測定部１１と、ユーザーの生体インピーダンスを測定する生体インピーダンス測定部１２と、各種データを記憶するメモリ１３と、中間通信媒体３０との間でデータの送受信を行うための送受信部１４と、体組成計１００全体の動作を統括するとともに各種の制御処理を実行する制御部１５とを含む。
【００２０】
各ユーザー装置Ａにおける活動量計２０は、ユーザーの消費カロリー量を測定する手段である。本実施形態における活動量計２０は、ユーザーの身体に装着されて使用される。活動量計２０は、ユーザーが移動するときの加速度を測定する加速度センサ２１と、時間を計測するタイマ２２と、各種データを記憶するメモリ２３と、起動スイッチ２４と、中間通信媒体３０との間でデータの送受信を行うための送受信部２５と、活動量計２０全体の動作を統括するとともに各種の制御処理を実行する制御部２６とを含む。後述するように、制御部２６は、中間通信媒体３０から受信するユーザーの体重と、加速度センサ２１で測定される加速度とに基づいて、ユーザーの活動（移動）によって消費された消費カロリーを算出する。また、本実施形態では、活動量計２０と中間通信媒体３０との間のデータの送受信は赤外線通信を利用して行われる。
【００２１】
各ユーザー装置Ａにおける中間通信媒体３０は、体組成計１０および活動量計２０から受信するデータ（ユーザーの体重や消費カロリー量など）を入力端末４０へ渡すための手段である。中間通信媒体３０は、体組成計１０および活動量計２０との間でデータの送受信を行うための送受信部３１と、体組成計１０との通信に用いられる第１通信スイッチ３２と、活動量計２０との通信に用いられる第２通信スイッチ３３と、時間を計測するタイマ３４と、体組成計１０および活動量計２０から受信したデータを記憶するメモリ３５と、入力端末４０と接続可能な第１コネクタ３６と、中間通信媒体３０全体の動作を統括するとともに各種の制御処理を実行する制御部３７とを含む。本実施形態において、第１コネクタ３６は凸状のUSB（Universal Serial Bus）コネクタで構成される。制御部３７は、第１コネクタ３６が入力端末４０と電気的に接続されたことを検知すると、入力端末４０との間におけるデータの送受信を制御する。例えば、制御部３７は、メモリ３５に記憶されたデータを、第１コネクタ３６を介して入力端末４０へ送信するように制御し、入力端末４０から送信されたデータを、第１コネクタ３６を介して受信するように制御するという具合である。ただし、制御部３７は、体組成計１０および活動量計２０との間でデータの送受信を行っているときは、入力端末４０との間でデータの送受信を行わないように制御する。また、本実施形態では、体組成計１０および活動量計２０の各々と中間通信媒体３０との間のデータの送受信は赤外線通信を利用して行われる。
【００２２】
各ユーザー装置Ａにおける入力端末４０は、各種のデータが入力されるとともに、インターネットなどの通信網（ネットワーク）を介してサーバ装置５０と通信可能な手段である。入力端末４０は、中間通信媒体３０における第１コネクタ３６と接続可能な第２コネクタ４２と、ユーザーの操作に応じて所定のデータを入力端末４０に入力可能な入力部４４と、サーバ装置５０とデータの送受信を行うための送受信部４６と、入力端末４０全体の動作を統括するとともに各種の制御処理を実行する制御部４８とを含む。本実施形態における入力端末４０は、ユーザーが所有するパーソナルコンピュータ（Personal Computer）で構成される。そして、入力端末４０の制御部４８は、サーバ装置５０にアクセスして当該サーバ装置５０からデータを取得するように制御したり、その取得したデータを表示部（図示省略）に表示するように制御するなどの機能を有する。つまり、本実施形態における入力端末４０はウェブブラウザ機能を備えている。また、入力部４４はキーボードで構成される。さらに、第２コネクタ４２は凹状のUSBコネクタで構成される。制御部４８は、第２コネクタ４２が中間通信媒体３０の第１コネクタ３６と電気的に接続されたことを検知すると、中間通信媒体３０との間におけるデータの送受信を制御する。
【００２３】
サーバ装置５０は、入力端末４０から受信した各種データを用いて、ユーザーがダイエットを行うときの目標カロリー量の算出や、ユーザーの体重などのデータの管理を行う手段である。サーバ装置５０は、各入力端末４０とデータの送受信を行うための送受信部５１と、各入力端末４０から受信したデータを記憶するデータベース部５２と、データベース部５２からデータを抽出する抽出部５３と、抽出部５３で抽出されたデータに基づいて後述の推定式を作成する推定式作成部５４と、推定式作成部５４で作成された推定式を用いてユーザーの目標カロリー量を算出する算出部５５と、サーバ装置５０全体の動作を統括するとともに各種の制御処理を実行する制御部５６とを含む。
【００２４】
＜Ａ−２：初期設定＞
次に、本実施形態に係る健康管理システム１００の使用を開始する前に行われる初期設定について説明する。まずユーザーは、中間通信媒体３０の第１コネクタ３６を入力端末４０の第２コネクタ４２に接続し、その状態で、入力部４４を操作してユーザーの個人情報（性別、年齢、身長、ユーザーＩＤ等）を入力端末４０に入力する。入力端末４０の制御部４８は、入力されたユーザーの個人情報を、サーバ装置５０に送信するように制御する。また、入力端末４０の制御部４８は、入力されたユーザーの個人情報と、現在の時刻を示す時間情報とを、第２コネクタ４２を介して中間通信媒体３０へ送信するように制御する。
【００２５】
サーバ装置５０の制御部５６は、入力端末４０から受信したユーザーの個人情報をデータベース部５２に登録する。これにより、当該ユーザーは、新規利用者としてデータベース部５２に登録される。そして、サーバ装置５０の制御部５６は、当該ユーザーのデータを記録するための記録領域をデータベース部５２内に構築するように制御する。一方、中間通信媒体３０の制御部３７は、入力端末４０から受信したユーザーの個人情報をメモリ３５に書き込むように制御する。また、中間通信媒体３０の制御部３７は、入力端末４０から受信した時間情報に基づいて、現在の時刻をタイマ３４にセットする。以上の動作が完了すると、初期設定が完了となる。なお、入力端末４０にメモリを設け、入力部４４の操作によって入力された個人情報を当該メモリに記憶してもよい。
【００２６】
＜Ａ−３：体組成計の使用方法＞
次に、体組成計１０の使用方法について説明する。図２は、体組成計１０の使用方法を具体的に説明するためのチャート図である。図２に示すように、まずユーザーは、中間通信媒体３０を体組成計１０に近づけて中間通信媒体３０の第１通信スイッチ３２を押す。中間通信媒体３０の制御部３７は、ユーザーによって第１通信スイッチ３２が押されたことを検知すると、起動信号とメモリ３５に記憶されたユーザーの個人情報とを体組成計１０へ送信するように制御する（図２のａ１）。体組成計１０の制御部１５は、起動信号の受信を検知すると、体組成計１０の電源（図示省略）から体組成計１０の電気系統各部へ電力を供給するように制御する。そして、制御部１５は、中間通信媒体３０から受信したユーザーの個人情報をメモリ１３に書き込むように制御する。以上の動作が完了すると、体組成計１０は使用可能な状態となる。
【００２７】
体組成計１０が使用可能な状態になった後、体組成計１０の載台（図示省略）にユーザーが載ると、体重測定部１１によってユーザーの体重が測定されるとともに、生体インピーダンス測定部１２によってユーザーの生体インピーダンスが測定される。これらの測定データはメモリ１３に記憶される。制御部１５は、メモリ１３に記憶されたユーザーの身長などの個人情報、ユーザーの体重およびユーザーの生体インピーダンスに基づいて、ユーザーの体脂肪率、体脂肪量および筋肉量などのデータを算出する。そして、制御部１５は、当該算出したデータとユーザーの体重とを含む体組成データを中間通信媒体３０へ送信するように制御する（図２のａ２）。中間通信媒体３０の制御部３７は、体組成計１０からユーザーの体組成データを受信すると、当該受信した体組成データと、受信した時刻とを対応付けてメモリ３５に書き込むように制御する。以上のようにして、ユーザーが体組成計１０を使用するたびに、中間通信媒体３０のメモリ３５には、ユーザーの体組成データと、当該体組成データを受信した時刻とが対応付けられた測定データ（以下、「体組成計測定データ」と呼ぶ）が書き込まれて蓄積されていく。
【００２８】
＜Ａ−４：活動量計の使用方法＞
次に、活動量計２０の使用方法について説明する。最初に、活動量計２０の初期設定について説明する。本実施形態では、活動量計２０の初期設定を行うとき、中間通信媒体３０のメモリ３５には体組成計測定データが記憶されていることが前提となる。図３は、活動量計２０の初期設定の方法を説明するためのチャート図である。図３に示すように、まずユーザーは、活動量計２０の起動スイッチ２４を押す。活動量計２０の制御部２６は、ユーザーによって起動スイッチ２４が押されたことを検知すると、活動量計２０の電源（図示省略）から活動量計２０の電気系統各部へ電力を供給するように制御する。これにより、送受信部２５は動作可能な状態（アクティブ状態）となる。
【００２９】
続いて、ユーザーは、中間通信媒体３０を活動量計２０に近づけて中間通信媒体３０の第２通信スイッチ３３を押す。中間通信媒体３０の制御部３７は、ユーザーによって第２通信スイッチ３３が押されたことを検知すると、メモリ３５に記憶された最新の体組成データと、タイマ３４の現在時刻を示す時間情報とを活動量計２０へ送信するように制御する（図３のｂ１）。
【００３０】
活動量計２０の制御部２６は、最新の体組成データと時間情報とを受信すると、受信した最新の体組成計データをメモリ２３に書き込むように制御するとともに、受信した時間情報に基づいて現在の時刻をタイマ２２にセットする。これにより、活動量計２０の初期設定が完了する。以降、活動量計２０は、ユーザーの身に付けられて使用される。活動量計２０の制御部２６は、加速度センサ２１で測定された加速度と、メモリ２３に記憶されたユーザーの最新の体重データとに基づいて、ユーザーの消費カロリー量を算出する。そして、活動量計２０の制御部２６は、算出した消費カロリー量と、当該消費カロリー量を算出した時刻とを対応付けた測定データ（以下、「活動量計測定データ」と呼ぶ）をメモリ２３に書き込むように制御する。このようにして、活動量計２０のメモリ２３には、活動量計測定データが順次に書き込まれて蓄積されていく。
【００３１】
次に、活動量計２０のメモリ２３に記憶された活動量計測定データを中間通信媒体３０へ送信する方法、および、活動量計２０のメモリ２３に記憶された体組成データを更新する方法について説明する。図４は、これらの方法を説明するためのチャート図である。図４に示すように、活動量計２０がアクティブ状態の下で、まずユーザーは、中間通信媒体３０を活動量計２０に近づけて第２通信スイッチ３３を押す。中間通信媒体３０の制御部３６は、ユーザーによって第２通信スイッチ３３が押されたことを検知すると、初期設定のときと同様に、メモリ３５に記憶された最新の体組成計データと時間情報とを活動量計２０へ送信するように制御する（図４のｂ２）。
【００３２】
活動量計２０の制御部２６は、最新の体組成計データと時間情報とを受信すると、メモリ２３に記憶された体組成データを、当該受信した最新の体組成データに更新するように制御する。そして、活動量計２０の制御部２６は、前回の中間通信媒体３０からのデータ受信から今回の中間通信媒体３０からのデータ受信までの間にメモリ２３に記憶された活動量計測定データをメモリ２３から読み出して、当該読み出した活動量測定データを中間通信媒体３０へ送信するように制御する（図４のｂ３）。
【００３３】
中間通信媒体３０の制御部３６は、受信した活動量計測定データをメモリ３４に書き込むように制御する。このようにして、中間通信媒体３０のメモリ３５には、活動量計測定データが書き込まれて蓄積されていく。
【００３４】
＜Ａ−５：各種データをデータベース部に記録する方法＞
次に、各種データをデータベース部５２に記録する方法について説明する。まず、中間通信媒体３０のメモリ３５に記憶された体組成計測定データおよび活動量計測定データを、サーバ装置５０へ送信する方法を説明する。図５は、中間通信媒体３０のメモリ３５に記憶された体組成計測定データおよび活動量計測定データを、サーバ装置５０へ送信する方法を説明するためのチャート図である。図５に示すように、まずユーザーは、中間通信媒体３０の第１コネクタ３５を入力端末４０の第２コネクタ４２に接続する。中間通信媒体３０の制御部３６は、体組成計測定データおよび活動量計測定データがメモリ３５に記憶された状態で、第１コネクタ３５が第２コネクタ４２に接続されたことを検知すると、メモリ３５に記憶された体組成計測定データおよび活動量計測定データを入力端末４０へ送信するように制御する（図５のｃ１）。そして、入力端末４０の制御部４８は、中間通信媒体３０から受信した体組成計測定データおよび活動量計測定データをサーバ装置５０へ送信するように制御する（図５のｃ２）。
【００３５】
一方、後述するように、ユーザーがダイエットを開始するとき、当該ユーザーが使用する入力端末４０は、当該ユーザーの目標設定用データを取得する。本実施形態において、目標設定用データは、ダイエット開始後の１日当たりの消費カロリー量の目標増量を示す目標消費カロリー増量（つまり、ダイエット開始後の日々において、ダイエット開始時点での１日当たりの消費カロリー量よりも増やすべき消費カロリー量）と、ダイエットを実行するダイエット期間と、ダイエット開始時点よりも１年だけ前の過去体重と、ダイエット開始時点での体重を示す当初体重と、目標体重と、ダイエット開始時点での１日当たりの摂取カロリー量と、ダイエット開始時点での１日当たりの消費カロリー量とで構成される。入力端末４０の制御部４８は、取得した目標設定用データをサーバ装置５０に送信するように制御する。そして、サーバ装置５０の制御部５６は、入力端末４０から受信した目標設定用データを、データベース部５２に記録するように制御する。
【００３６】
そして、ダイエットを開始した後の日々において、当該ユーザーは、入力部４４を操作して、その日における摂取カロリー量を入力端末４０に入力する。入力端末４０の制御部４８は、入力された摂取カロリー量をサーバ装置５０へ送信するように制御する。サーバ装置５０の制御部５６は、入力端末４０から受信した摂取カロリー量と、データベース部５２に記憶された目標設定用データとに基づいて、ダイエット開始時点での１日当たりの摂取カロリー量と、その日における摂取カロリー量との差分を示す摂取差分を算出する。そして、当該摂取差分をデータベース部５２に記録するように制御する。
【００３７】
また、ダイエットを開始した後の日々において、当該ユーザーが使用する入力端末４０は、上述したように、中間通信媒体３０を介して、その日における当該ユーザーの体組成データおよび消費カロリー量を取得する。そして、入力端末４０の制御部４８は、取得した体組成データおよび消費カロリー量をサーバ装置５０へ送信するように制御する。サーバ装置５０の制御部５６は、入力端末４０から受信した体組成データを、データベース部５２に記録するように制御する。さらに、サーバ装置５０の制御部５０は、入力端末４０から受信した消費カロリー量と、データベース部５２に記憶された目標設定用データとに基づいて、ダイエット開始時点での１日当たりの消費カロリー量と、その日における消費カロリー量との差分を示す消費差分を算出する。そして、当該消費差分をデータベース部５２に記録するように制御する。
以上のようにして、サーバ装置５０のデータベース部５２には、ユーザーの目標設定用データが記憶されるとともに、ダイエット開始後の日々における当該ユーザーの体組成データ、摂取差分および消費差分が順次に記録されて蓄積されていく。
【００３８】
＜Ａ−６：目標設定処理＞
本実施形態では、ユーザーがダイエットを開始するとき、当該ユーザーが使用する入力端末４０は、当該ユーザーの目標設定用データを取得してサーバ装置５０へ送信する。サーバ装置５０は、入力端末４０から受信した目標設定用データを用いて、当該ユーザーのダイエット開始後の目標カロリー量を算出する（これを「目標設定処理」と呼ぶ）。より具体的には以下のとおりである。
【００３９】
ユーザーがダイエットを開始するとき、まず、当該ユーザーは、入力端末４０を介してサーバ装置５０にアクセスする。そうすると、サーバ装置５０から提供されるサービスアプリケーションにより、入力端末４０の表示部（図示省略）には、目標設定用データの入力を促す画面が表示される。これを見て、当該ユーザーは、入力部４４を操作して、１日当たりの目標消費カロリー増量と、ダイエット期間と、過去体重と、目標体重と、ダイエット開始時点での1日当たりの摂取カロリー量と、ダイエット開始時点での１日当たりの消費カロリー量とを入力端末４０に入力する。また、当該ユーザーは、体組成計１０を使用して現在の体重（つまり当初体重）を測定する。上述の＜Ａ−３：体組成計の使用方法＞で説明したように、当該測定された当初体重は中間通信媒体３０のメモリ３４に記憶される。そして、上述の＜Ａ−５：各種データをデータベース部に記録する方法＞で説明したように、中間通信媒体３０が入力端末４０に接続されることで、中間通信媒体３０のメモリ３４に記憶された当初体重は入力端末４０に入力される。このようにして、入力端末４０は、ユーザーの目標設定用データを取得する。
【００４０】
図６は、サーバ装置５０の制御部５６が実行する目標設定処理の具体的な内容を示すフローチャートである。まず制御部５６は、入力端末４０からダイエット期間を受信したか否かを判定する（ステップＳ１）。制御部５６は、ダイエット期間を受信したと判定した場合は、当該受信したダイエット期間に対応した他のユーザーのデータをデータベース部５２から抽出するように抽出部５２を制御する（ステップＳ２）。そして、制御部５６は、データベース部５２から抽出したデータに基づいて、過去１年間の間に体重が変動した割合を示す増減割合、ダイエット期間において１ｋｇの体重を減らすのに減らした摂取カロリー量を示す単位摂取カロリー減量、および、ダイエット期間において１ｋｇの体重を減らすのに増やした消費カロリー量を示す単位消費カロリー増量と、ダイエット期間で体重が変動した割合を示す体重変動割合との関係を示す推定式を、統計的手法により作成するように推定式作成部５４を制御する（ステップＳ３）。一方、ステップＳ１において、制御部５６は、ダイエット期間を受信していないと判定した場合は、処理を終了する。
【００４１】
続いて、制御部５６は、入力端末４０から、目標消費カロリー増量、過去体重、当初体重および目標体重を受信したか否かを判定する（ステップＳ４）。制御部５６は、目標消費カロリー増量、過去体重、当初体重および目標体重を受信したと判定した場合は、ステップＳ３で作成した推定式を用いて、ダイエット開始後の１日当たりの摂取カロリー量の目標減量を示す目標摂取カロリー減量（つまり、ダイエット開始後の日々において、ダイエット開始時点での１日当たりの摂取カロリー量よりも減らすべき摂取カロリー量）を算出するように算出部５５を制御する（ステップＳ５）。そして、制御部５６は、ステップＳ５で算出した目標摂取カロリー減量を入力端末４０へ送信するように制御する（ステップＳ６）。これにより、サーバ装置５０で算出された目標摂取カロリー減量（目標カロリー量）がユーザーに対して提示されるという具合である。以上の動作が完了すると、目標設定処理は終了となる。制御部５６は、上述の目標設定処理を所定の周期で実行する。一方、ステップＳ４において、制御部５６は、目標消費カロリー増量、過去体重、当初体重および目標体重を受信していないと判定した場合は、これらのデータを受信するまで待機状態となる。
【００４２】
次に、上述した目標設定処理の具体例を説明する。いま、ダイエット期間が「１８０日」、目標消費カロリー増量が「146.8kcal」、過去体重が「67.5kg」、当初体重が「68.5kg」、目標体重が「62.0kg」である態様を想定する。この態様では、上記ステップＳ２において、制御部５６は、「１８０日」のダイエット期間に対応した他のユーザーのデータをデータベース部５２から抽出する。具体的には、制御部５６は、データベース部５２に登録されている他のユーザーのうち、１８０日分のデータを有する他のユーザーのデータをデータベース部５２から抽出する。図７は、そのようにして抽出されたデータを示す図である。図７に示すように、抽出データは、当初体重、過去体重、増減割合、ダイエット開始から１８０日後の体重、１８０日間で体重が変動した割合を示す体重変動割合、ダイエット期間である「１８０日間」において体重を１ｋｇ減らすのに減らした摂取カロリー量を示す単位摂取カロリー減量、および、当該「１８０日間」において体重を１ｋｇ減らすのに増やした消費カロリー量を示す単位消費カロリー増量である。
上述の「増減割合」は、（当初体重−過去体重）／（当初体重）で表される。上述の「体重変動割合」は、（目標体重−当初体重）／（当初体重）で表される。また、上述の「単位摂取カロリー減量」は、ダイエット期間（１８０日間）における摂取差分（ダイエット開始時点での１日当たりの摂取カロリー量と、ダイエット開始後のある日における摂取カロリー量との差分）の平均値を、「ダイエット開始から１８０日後の体重−当初体重」で除した形で表される。さらに、上述の「単位消費カロリー増量」は、ダイエット期間（１８０日間）における消費差分（ダイエット開始時点での１日当たりの消費カロリー量と、ダイエット開始後のある日における消費カロリー量との差分）の平均値を、「１８０日後の体重−当初体重」で除した形で表される。
【００４３】
続いて、上記ステップＳ３において、制御部５６は、図７の抽出データに基づき、増減割合、単位摂取カロリー減量および単位消費カロリー増量を説明変数、体重変動割合を目的変数として重回帰分析を行って回帰式を作成する。図７の抽出データに基づいて作成された回帰式は、以下の式（１）で表される。
（体重変動割合）＝−0.54826−1.99057×(増減割合)−0.01028×(単位摂取カロリー減量)−0.01132×(単位消費カロリー増量)  ・・・（１）
なお、他のユーザーの各々が本実施形態に係る健康管理システム１００を利用する期間が長くなるほど、データベース部５２に登録されている他のユーザーのうち、１８０日分のデータを有する他のユーザーの数は増加する。同様に、本実施形態に係る健康管理システム１００の新規ユーザーが増加し、当該新規ユーザーの利用期間が長くなるほど、１８０日分のデータを有する他のユーザーの数は増加する。上記回帰式（１）の係数は、データベース部５２のデータに応じて変化し、１８０日分のデータを有する他のユーザーの数が増えるほど、上記回帰式（１）の精度は向上する。したがって、当該回帰式（１）を用いて算出される目標カロリー量の信頼性も向上するという具合である。
【００４４】
そして、制御部５６は、上記ステップＳ４において、目標消費カロリー増量、過去体重、当初体重および目標体重を受信したと判定すると、上記ステップＳ５において、上記式（１）を用いて、目標摂取カロリー減量を算出する。この態様では、ダイエット期間が「１８０日」、過去体重が「67.5kg」、現在の体重が「68.5kg」であるから、式（１）における「増減割合」＝（68.5−67.5）／68.5＝0.0146と求めることができる。
また、この態様では、目標体重が「62.0kg」であるから、式（１）における「体重変動割合」＝（62.0−68.5）／68.5＝−0.0949と求めることができる。
さらに、この態様では、目標消費カロリー増量は「146.8kcal」であり、ダイエット期間における消費差分の平均値は「146.8kcal」とみなされる。前述したように、単位消費カロリー増量は、ダイエット期間における消費差分の平均値を、「１８０日後の体重−当初体重」で除した形で表されるから、式（１）における「単位消費カロリー増量」＝146.8／（62.0−68.5）＝−22.582と求めることができる。
【００４５】
以上のようにして求めた「増減割合」、「体重変動割合」および「単位消費カロリー増量」の各々の値を上記式（１）に代入することによって、「単位摂取カロリー減量」が求められ、その値は−22.0617となる。前述したように、単位摂取カロリー減量は、ダイエット期間における摂取差分の平均値を、「１８０日後の体重−当初体重」で除した形で表されるから、ダイエット期間における摂取差分の平均値は、−22.0617×(62.0−68.5)＝143.40となる。つまり、目標摂取カロリー減量（ダイエット開始後の日々において、ダイエット開始時点での１日当たりの摂取カロリー量から減らすべき摂取カロリー量）は、143.4kcalと算出されるという具合である。
【００４６】
本実施形態では、以上のように算出された目標摂取カロリー減量がそのままユーザーに提示されるが、これに限らず、例えば当該算出された目標摂取カロリー減量を達成するための食生活をユーザーに提案することもできる。例えば、ご飯１杯（150g）は、252kcalに相当するから、目標摂取カロリー減量が143.4kcalと算出された場合は、１日につき、143.4／252＝0.57杯分のご飯を減らすことをユーザーに提案する態様であってもよい。
また、上述したように、本実施形態では、サーバ装置５０は、他のユーザーのデータに基づいて、増減割合、単位摂取カロリー減量および単位消費カロリー増量と、体重変動割合との関係を示す推定式を作成しているが、これに限らず、例えばサーバ装置５０は、他のユーザーのデータに基づいて、単位摂取カロリー減量および単位消費カロリー増量と、体重変動割合との関係を示す推定式を作成することもできる。この態様では、サーバ装置５０は、単位摂取カロリー減量および単位消費カロリー増量を説明変数、体重変動割合を目的変数として重回帰分析を行って回帰式を作成するという具合である。
【００４７】
＜Ａ−７：目標設定処理後のサーバ装置の動作＞
次に、目標設定処理後のサーバ装置５０の動作について説明する。ユーザーがダイエットを開始した後の日々において、当該ユーザーが使用する入力端末４０は、ユーザーの体組成データ、消費カロリー量および摂取カロリー量などの健康管理用データを取得すると、当該取得した健康管理用データをサーバ装置５０に送信する。サーバ装置５０は、入力端末４０から健康管理用データを受信すると、ユーザーのダイエットを支援するためのガイド処理を実行する。より具体的には以下のとおりである。
【００４８】
図８は、サーバ装置５０の制御部５６が実行するガイド処理の具体的な内容を示すフローチャートである。まず制御部５６は、入力端末４０から健康管理用データを取得したか否かを判定する（ステップＳ１）。制御部５６は、入力端末４０から健康管理用データを取得したと判定すると、データベース部５２に記憶された他のユーザーのデータに基づいて、ダイエット開始からの経過日数と、体重の変化を示す指標との関係を示す第２推定式を、統計的手法により作成するように推定式作成部を制御する（ステップＳ２）。そして、制御部５６は、ステップＳ２で作成した第２推定式を用いて、現時点での理想体重を算出する（ステップＳ３）。
【００４９】
続いて、制御部５６は、ステップＳ３で算出した理想体重と、現在の体重との差分を求め、当該差分値が差分閾値を超えているか否かを判定する（ステップＳ４）。制御部５６は、当該差分値が差分閾値を超えていないと判定した場合は、ダイエットが適切に行われていると判断し、ダイエット開始から現在に至るまでの体重の推移を示すグラフを入力端末４０に表示させるように制御する（ステップＳ５）。
【００５０】
一方、ステップＳ４において、当該差分値が差分閾値を超えていると判定した場合は、制御部５６は、現在の筋肉量がダイエット開始時点の筋肉量を超えているか否かを判定する（ステップＳ６）。制御部５６は、現在の筋肉量がダイエット開始時点の筋肉量を超えていると判定した場合は、ダイエットが適切に行われていると判断し、「この調子でがんばりましょう」という表示を入力端末４０に表示させるように制御する（ステップＳ７）。理想体重と現在の体重との差分値が差分閾値を超えていても、ダイエット開始時点に比べて筋肉量が増えている場合は、基礎代謝量が上昇することで将来の体重減少が見込めるためである。他方、ステップＳ６において、現在の筋肉量がダイエット開始時点の筋肉量を超えていないと判定した場合は、制御部５６はダイエットが適切に行われていないと判断し、「主食をさらに減らし、タンパク質を取り、運動を増やしましょう」という表示を入力端末４０に表示させるように制御する（ステップＳ８）。
【００５１】
次に、上述したガイド処理の具体例について説明する。いま、ダイエット期間を「１８０日」、当初体重を「68.5kg」、目標体重を「62.0kg」としてダイエットを実行しているユーザーの入力端末４０が、ダイエット開始から２８日目における健康管理用データを取得してサーバ装置５０へ送信した場合を想定する。この態様では、２８日目におけるユーザーの体重は「67.9kg」であるとする。サーバ装置５０の制御部５６は、ユーザーの２８日目における健康管理用データを受信すると、データベース部５２に登録されている他のユーザーのうち、１８０日分のデータを有する他のユーザーのデータを読み出し、当該他のユーザーの各々について、ダイエット開始から１８０日が経過するまでの体重の推移を求める。具体的には、当該他のユーザーごとに、当初体重を１００％、ダイエット開始から１８０日後の体重を０％として、ダイエット開始から１８０日を経過するまでの日々における体重の割合を示す体重割合を求める。当該体重割合は、{（その日の体重）−（ダイエット開始から１８０日後の体重）}／（当初体重−ダイエット開始から１８０日後の体重）で求められ、その結果、図９に示すようなデータが得られる。制御部５６は、図９のデータに基づき、ダイエット開始からの経過日数を説明変数、体重割合を目的変数として回帰分析を行って回帰式を作成する（ステップＳ２）。図９のデータに基づいて作成された回帰式は、以下の式（２）の形で表され、標準偏差は5.311％となる。
（体重割合）＝0.9727-0.007911×(経過日数)+0.000014×(経過日数)２  ・・・（２）
【００５２】
続いて、制御部５６は、上記式（２）を用いて、ダイエット開始から２８日目における当該ユーザーの理想体重を算出する（ステップＳ３）。ここで、２８日目の理想体重は、{（２８日目の体重割合）×（当初体重−目標体重）＋目標体重}で求められる。制御部５６は、上記式（２）における「経過日数」に「２８」を代入することによって、２８日目の体重割合を求める。この態様では、２８日目の体重割合は76.21％となる。また、この態様では、「当初体重」が「68.5kg」、「目標体重」が「62.0kg」であるから、２８日目における当該ユーザーの理想体重は、{76.21％×（68.5−62.0）+62.0}＝66.95kgとなる。
【００５３】
次に、制御部５６は、２８日目における当該ユーザーの理想体重と、２８日目における当該ユーザーの実際の体重との差分が差分閾値を超えているか否かを判定する（ステップＳ４）。前述したように、２８日目における当該ユーザーの理想体重は「66.95kg」、２８日目における当該ユーザーの実際の体重は「67.9kg」であるから、２８日目における当該ユーザーの理想体重と２８日目における実際の体重との差分は、67.9-66.95＝0.95kgとなる。一方、本実施形態では、差分閾値は標準偏差の３倍に設定される。つまり、差分閾値は、標準偏差×（当初体重−目標体重）×３の形で表される。前述したように、標準偏差は「5.311％」、当初体重は「68.5kg」、目標体重は「62.0kg」であるから、差分閾値は1.036kgとなる。したがって、制御部５６は、２８日目における当該ユーザーの理想体重と２８日目における当該ユーザーの実際の体重との差分（0.95kg）は差分閾値（1.036kg）を超えていないと判定する。
【００５４】
そうすると、制御部５６は、図１０に示すように、ダイエット開始から現在（２８日目）までの体重の推移を示すグラフを入力端末４０の表示部に表示するように制御する（ステップＳ５）。また、このとき、制御部５６は、図１１に示すように、目標摂取カロリー量と実際の摂取カロリー量との差分である摂取差分と、目標消費カロリー量と実際の消費カロリー量との差分である消費差分とを示すグラフを表示するように制御することもできる。図１１において、摂取差分はマイナスになるほど摂取カロリー量が目標より超過していることを示す。他方、消費差分はマイナスになるほど消費カロリー量が目標より少ないことを示す。ユーザーは、図１１のグラフを見て反省して、摂取カロリー量の減少や消費カロリー量の増加を心がけるという具合である。
【００５５】
＜Ａ−８：作用・効果＞
以上に説明したように、本実施形態においては、ユーザーがダイエットを開始するとき、サーバ装置５０は、他のユーザーのデータに基づいて、単位摂取カロリー減量および単位消費カロリー増量と、健康管理期間における体重変化を示す指標との関係を示す推定式を統計的手法により作成し、その作成した推定式と当該ユーザーの目標設定用データとを用いて当該ユーザーの目標摂取カロリー減量を算出する。当該ユーザーの目標消費カロリー増量などの目標設定用データは、他のユーザーと異なることが想定されるが、当該ユーザーの目標設定用データを上述の推定式に代入することで、当該ユーザーの目標設定用データに応じた目標摂取カロリー減量を算出することができる。これにより、ユーザーごとに算出される目標摂取カロリー減量の信頼性を十分に確保できるという利点がある。
【００５６】
また、前述したように、本実施形態においては、ユーザーがダイエットを開始するとき、サーバ装置５０は、当該ユーザーのダイエット期間に対応した他のユーザーのデータをデータベース部５２から抽出し、その抽出したデータに基づいて上記推定式を作成する。すなわち、サーバ装置５０が作成する推定式は、当該ユーザーのダイエット期間に応じたものとなる。具体的には、上述の回帰式（１）の各係数は、当該ユーザーのダイエット期間に応じて可変に設定されるという具合である。本実施形態によれば、ユーザーのダイエット期間に応じた推定式を用いて目標カロリー量を算出することで、当該目標カロリー量の信頼性をさらに向上させることができるという利点がある。
【００５７】
＜Ｂ：第２実施形態＞
次に、本発明の第２実施形態について説明する。なお、第２実施形態において作用や機能が第１実施形態と同等である要素については、第１実施形態と同じ符号を付して各々の詳細な説明を適宜に省略する。
【００５８】
＜Ｂ−１：構成＞
図１２は、第２実施形態に係る健康管理システム２００の概略構成を示すブロック図である。本実施形態に係る健康管理システム２００では、各ユーザー装置Ａにおける中間通信媒体３０は据え置き型の通信装置（レシーバ装置）として機能し、中間通信媒体３０は、体組成計１０および活動量計２０から受信したデータを、入力端末４０を介さずに、ネットワーク（無線基地局とインターネット回線）を介してサーバ装置５０へ送信する点で第１実施形態と相違する。図１２に示すように、各ユーザー装置Ａにおける体組成計１０は、起動スイッチ１６と、ユーザーの操作に応じて当該ユーザーの個人情報を体組成計１０に入力可能な入力部１７とを有する点で第１実施形態と相違する。各ユーザー装置Ａにおける活動量計２０は、中間通信媒体３０との通信に用いられる第３通信スイッチ２７を有する点で第１実施形態と相違する。各ユーザー装置Ａにおける中間通信媒体３０は、第１コネクタ３６、第１通信スイッチ３２および第２通信スイッチ３３を有さずに、無線基地局との間でデータの送受信を行うための送受信部３８を備え、タイマ３４は予め時刻設定がされている点で第１実施形態と相違する。さらに、各ユーザー装置Ａにおける入力端末４０は、第１コネクタ３６を有さない点で第１実施形態と相違する。その他の構成は、第１実施形態と同じであるから、重複する部分については説明を省略する。
【００５９】
＜Ｂ−２：体組成計の使用方法＞
次に、体組成計１０の使用方法について説明する。図１３は、体組成計１０の使用方法を具体的に説明するためのチャート図である。ここでは、体組成計１０を最初に使用する場合の動作を中心に説明する。図１３に示すように、まずユーザーは、体組成計１０の起動スイッチ１６を押す。体組成計１０の制御部１５は、ユーザーによって起動スイッチ１６が押されたことを検知すると、体組成計１０の電源（図示省略）から体組成計１０の電気系統各部へ電力を供給するように制御する。続いて、ユーザーは、入力部１７を操作して当該ユーザーの個人情報を体組成計１０へ入力する。体組成計１０の制御部１５は、入力された個人情報をメモリ１３に記録するように制御する。これにより、体組成計１０の初期設定が完了する。その後、体組成計１０の載台（図示省略）にユーザーが載ると、体重測定部１１によってユーザーの体重が測定されるとともに、生体インピーダンス測定部１２によってユーザーの生体インピーダンスが測定される。そして、制御部１５は、メモリ１３に記憶されたユーザーの身長などの個人情報と、測定したユーザーの体重およびユーザーの生体インピーダンスとに基づいて、ユーザーの体脂肪率、体脂肪量および筋肉量などのデータを算出し、当該算出したデータとユーザーの体重とを含む体組成データを中間通信媒体３０へ送信するように制御する（図１３のｄ１）。
【００６０】
中間通信媒体３０の制御部３７は、体組成計１０から受信したユーザーの体組成データと、受信した時刻とを対応付けた体組成計測定データを、無線通信局およびインターネットを介してサーバ装置５０へ送信するように制御する（図１３のｄ２）。以後、体組成計１０のメモリ１３にはユーザーの個人情報が保持され続けるので、ユーザーは起動スイッチ１６を押すだけで体組成データの測定を行うことができる。そのようにして測定されたデータは、中間通信媒体３０を介して、自動的にサーバ装置５０へ転送されるという具合である。
【００６１】
＜Ｂ−３：活動量計の使用方法＞
次に、活動量計２０の使用方法について説明する。最初に、活動量計２０の初期設定について説明する。図１４は、活動量計２０の初期設定の方法を説明するためのチャート図である。図１４に示すように、まずユーザーは、活動量計２０の起動スイッチ２４を押す。活動量計２０の制御部２６は、ユーザーによって起動スイッチ２４が押されたことを検知すると、活動量計２０の電源（図示省略）から活動量計２０の電気系統各部へ電力を供給するように制御する。これにより、送受信部２５は動作可能な状態（アクティブ状態）となる。その後、ユーザーは、活動量計２０を中間通信媒体３０へ近付けて第３通信スイッチ２７を押す。活動量計２０の制御部２６は、第３通信スイッチ２７が押されたことを検知すると、最新の体組成計測定データを要求する要求信号を中間通信媒体３０へ送信するように制御する（図１４のｅ１）。
【００６２】
中間通信媒体３０の制御部３７は、活動量計２０から受信した要求信号をサーバ装置５０へ送信するように制御する（図１４のｅ２）。サーバ装置５０の制御部５６は、中間通信媒体３０から要求信号を受信すると、当該ユーザーの最新の体組成計測定データをデータベース部５２から読み出し、当該最新の体組成計測定データを中間通信媒体３０へ送信するように制御する（図１４のｅ３）。中間通信媒体３０の制御部３７は、サーバ装置５０から受信した最新の体組成計測定データと、タイマ３４の現在時刻を示す時間情報とを活動量計２０へ送信するように制御する（図１４のｅ４）。
【００６３】
活動量計２０の制御部２６は、中間通信媒体３０から最新の体組成計測定データと時間情報とを受信すると、受信した最新の体組成計測定データをメモリ２３に書き込むように制御するとともに、受信した時間情報に基づいて現在の時刻をタイマ２２にセットする。以上より、活動量計２０の初期設定が完了する。以降、活動量計２０は、ユーザーの身に付けられて使用される。活動量計２０の制御部２６は、加速度センサ２１で測定された加速度と、メモリ２３に記憶されたユーザーの最新の体重データとに基づいて、ユーザーの消費カロリー量を算出する。そして、活動量計２０の制御部２６は、算出した消費カロリー量と、当該消費カロリー量を算出した時刻とを対応付けた活動量計測定データをメモリ２３に書き込むように制御する。このようにして、活動量計２０のメモリ２３には、活動量計測定データが順次に書き込まれて蓄積されていく。
【００６４】
次に、活動量計２０のメモリ２３に記憶された活動量計測定データをサーバ装置５０のデータベース部５２に送信する方法、および、活動量計２０のメモリ２３に記憶された体組成計測定データを更新する方法について説明する。図１５は、これらの方法を説明するためのチャート図である。図１５に示すように、活動量計２０がアクティブ状態の下で、まずユーザーは、活動量計２０を中間通信媒体３０へ近付けて第３通信スイッチ２７を押す。活動量計２０の制御部２６は、第３通信スイッチ２７が押されたことを検知すると、要求信号を中間通信媒体３０へ送信するように制御する（図１５のｆ１）。
【００６５】
中間通信媒体３０の制御部３７は、活動量計２０から受信した要求信号をサーバ装置５０へ送信するように制御する（図１５のｆ２）。サーバ装置５０の制御部５６は、中間通信媒体３０から要求信号を受信すると、当該ユーザーの最新の体組成計測定データをデータベース部５２から読み出し、当該最新の体組成計測定データを中間通信媒体３０へ送信するように制御する（図１５のｆ３）。中間通信媒体３０の制御部３７は、サーバ装置５０から受信した最新の体組成計測定データと、タイマ３４の現在時刻を示す時間情報とを活動量計２０へ送信するように制御する（図１５のｆ４）。ここまでは、上述の初期設定と同様である。
【００６６】
活動量計２０の制御部２６は、最新の体組成計測定データと時間情報とを受信すると、メモリ２３に記憶された体組成計測定データを、当該受信した最新の体組成計測定データに変更（更新）するように制御する。そして、活動量計２０の制御部２６は、前回の中間通信媒体３０からのデータ受信から今回の中間通信媒体３０からのデータ受信までの間にメモリ２３に記憶された活動量計測定データを読み出して、当該読み出した活動量測定データを中間通信媒体３０へ送信するように制御する（図１５のｆ５）。そして、中間通信媒体３０の制御部３６は、受信した活動量計測定データをサーバ装置５０へ送信するように制御する（図１５のｆ６）。
【００６７】
＜Ｂ−４：目標設定処理＞
第２実施形態においても、ユーザーがダイエットを開始するとき、当該ユーザーが使用する入力端末４０は、当該ユーザーの目標設定用データを取得する。本実施形態において、目標設定用データは、目標消費カロリー増量と、ダイエット期間と、過去体重と、目標体重と、ダイエット開始時点での１日当たりの摂取カロリー量と、ダイエット開始時点での１日当たりの消費カロリー量とで構成される。本実施形態では、ダイエット開始時点での体重を示す当初体重が目標設定用データに含まれない点で第１実施形態と相違する。入力端末４０の制御部４８は、取得した目標設定用データをサーバ装置５０に送信するように制御する。また、本実施形態では、ユーザーがダイエットを開始するとき、当該ユーザーは、体組成計１０を使用して現在の体重（つまり当初体重）を測定する。そして、上述の＜Ｂ−２：体組成計の使用方法＞で説明したように、体組成計１０で測定された当初体重は、中間通信媒体３０を介してサーバ装置５０に送信される。以上のようにして、サーバ装置５０は、入力端末４０から目標設定用データを受信する一方、中間通信媒体３０から当初体重を受信する。その後、サーバ装置５０で実行される目標設定処理の内容は第１実施形態と同様であるから、詳細な説明は省略する。以上の形態においても第１実施形態と同様の効果が実現される。
【００６８】
＜Ｃ：変形例＞
以上の各形態には様々な変形が加えられる。具体的な変形の態様を以下に例示する。以下の例示から任意に選択された２以上の態様は併合され得る。
【００６９】
（１）変形例１
上述の各実施形態では、推定式が自動的に作成される態様を例示したが、これに限らず、推定式が手動で作成される態様とすることもできる。この態様では、図１６に示すように、サーバ装置５０は、抽出部５３および推定式作成部５４の代わりに、推定式保持部５７と読出部５８とを備える。この態様では、サーバ装置５０の管理者が、複数種類のダイエット期間ごとに、データベース部５２のデータに基づいて予め推定式を作成する。そして、当該管理者は、予め作成した複数種類の推定式を推定式保持部５７に書き込んでおく。つまり、推定式保持部５７には、複数種類のダイエット期間ごとに、データベース部５２のデータに基づいて予め手動で作成された複数種類の推定式が保持されるという具合である。
【００７０】
また、読出部５８は、推定式保持部５７に記憶された複数種類の推定式のうちの何れかを読み出すための手段である。より具体的には、サーバ装置５０の制御部５６は、ユーザーのダイエット期間を受信したことを検知すると、受信したダイエット期間に対応する推定式を推定式保持部５７から読み出すように読出部５８を制御する。そして、制御部５６は、読出部５８で読み出された推定式を用いて目標カロリー量を算出するように算出部５５を制御する。この態様によれば、複数種類のダイエット期間と１対１に対応する複数種類の推定式が予め手動で作成されて推定式保持部５７に保持されるから、上述の各実施形態のように、サーバ装置５０が、ユーザーのダイエット期間を受信するたびに、当該受信したダイエット期間に対応するデータを抽出して推定式を作成する態様に比べて、サーバ装置５０の処理負荷を軽減できるという利点がある。
【００７１】
さらに、推定式保持部５７に記憶された複数種類の推定式を、所定のタイミング（例えば１月ごと）で更新することもできる。これにより、推定式保持部５７に保持される複数種類の推定式を、データベース部５２の最新のデータに基づいたものに更新できる。かかる推定式の更新は、サーバ装置５０によって自動的に行われる態様であってもよいし、サーバ装置５０の管理者などによって手動で行われる態様であってもよい。
【００７２】
（２）変形例２
上述の各実施形態では、サーバ装置５０は、各入力端末４０からダイエット期間を受信するたびに、当該受信したダイエット期間に対応する他のユーザーのデータをデータベース部５２から抽出して推定式を作成しているが、例えば、サーバ装置５０は、作成した推定式をダイエット期間に対応付けて記憶するメモリを備えていてもよい。この態様では、サーバ装置５０の制御部５６は、受信したダイエット期間に対応する推定式がメモリに存在するか否かを判定し、当該推定式がメモリに存在する場合は、抽出部５２によるデータの抽出を行わないように制御するとともに、当該受信したダイエット期間に対応する推定式をメモリから読み出して算出部５５に渡すように制御する。そして、制御部５６は、当該推定式を用いて目標カロリー量を算出するように算出部５５を制御するという具合である。この態様によれば、サーバ装置５０は、受信したダイエット期間に対応する推定式がメモリに存在する場合は、当該受信したダイエット期間に対応する他のユーザーのデータをデータベース部５２から抽出して推定式を作成する必要が無いから、各入力端末４０からダイエット期間を受信するたびに、当該受信したダイエット期間に対応する他のユーザーのデータをデータベース部５２から抽出して推定式を作成する態様に比べて、サーバ装置５０の処理負荷を軽減できるという利点がある。また、上記メモリに記憶された複数種類の推定式を所定のタイミングで消去する消去部をさらに備えることもできる。例えば、１年ごとに、メモリに記憶された複数種類の推定式を一斉に消去し、その後、サーバ装置５０は、作成した推定式をダイエット期間に対応付けてメモリに書き込んでいくという態様であってもよい。これにより、メモリ内の推定式を、データベース部５２の最新のデータに基づいたものに更新できる。
【００７３】
（３）変形例３
上述の第１実施形態では、中間通信媒体３０が入力端末４０と電気的に接続されることで、中間通信媒体３０と入力端末４０とが通信可能になる態様が例示されているが、これに限らず、中間通信媒体３０と入力端末４０との間のデータの送受信が無線通信によって行われる態様とすることもできる。この態様では、図１７に示すように、中間通信媒体３０は、第１コネクタ３６の代わりに、入力端末４０との間でデータの送受信を行うための送受信部３９を有する一方、入力端末４０は、第２コネクタ４２の代わりに、中間通信媒体３０との間でデータの送受信を行うための送受信部４７を備えるという具合である。
【００７４】
（４）変形例４
上述の第１実施形態では、入力端末４０は、ユーザーの体重などの体組成データやユーザーの消費カロリー量を、中間通信媒体３０を介して取得しているが、これに限らず、例えば、ユーザーの入力部４４の操作に応じて、当該ユーザーの体組成データや消費カロリー量が入力端末４０に入力される態様とすることもできる。
【００７５】
（５）変形例５
上述の各実施形態では、サーバ装置５０は、目標設定処理を実行して目標摂取カロリー減量を算出しているが、これに限らず、例えば目標摂取カロリー減量の代わりに目標消費カロリー増量を算出することもできる。この態様では、ユーザーがダイエットを開始するとき、当該ユーザーは、入力部４４を操作して、１日当たりの目標消費カロリー増量の代わりに、１日当たりの目標摂取カロリー増量を入力端末４０に入力する。そうすると、上述の目標設定処理によって、目標摂取カロリー減量の代わりに目標消費カロリー増量が算出されるという具合である。
また、サーバ装置５０は、目標摂取カロリー減量および目標消費カロリー増量の両方を目標カロリー量として算出することもできる。この態様では、ユーザーがダイエットを開始するとき、当該ユーザーは、入力部４４を操作して、１日当たりの目標消費カロリー増量と１日当たりの目標摂取カロリー減量との比を示す比情報を入力端末４０に入力する。そうすると、上述の目標設定処理によって、目標摂取カロリー減量および目標消費カロリー増量の両方が算出されるという具合である。
【００７６】
（６）変形例６
上述の各実施形態では、ユーザーがダイエットを開始するとき、サーバ装置５０は、当該ユーザーのダイエット期間に対応した他のユーザーのデータをデータベース部５２から抽出し、その抽出したデータに基づいて推定式を作成しているが、例えば、サーバ装置５０は、当該ユーザーのダイエット期間に相当する日数分のデータを有する他のユーザーのうち、当該ユーザーの個人情報と一致するユーザーを抽出し、その抽出したデータに基づいて推定式を作成することもできる。かかる抽出に用いられる個人情報の種類は任意であり、例えば、当該ユーザーと性別が一致するユーザーを抽出する態様とすることもできるし、当該ユーザーと同年代のユーザーを抽出する態様とすることもできる。そのようにして作成した推定式を用いて目標カロリー量を算出することで、当該目標カロリー量の信頼性をさらに向上させることができる。
【００７７】
（７）変形例７
上述の各実施形態では、ユーザーがダイエットを開始するとき、当該ユーザーは入力部４４を操作して、ダイエット開始時点での１日当たりの摂取カロリー減量を目標設定用データとして入力端末４０に入力する。そして、ダイエット開始後、当該ユーザーは入力部４４を操作して、ダイエット開始後の１日当たりの摂取カロリー減量を入力端末４０に入力するという態様が例示されているが、例えば、これらの入力操作を省略することもできる。この態様では、ダイエット開始後の１日当たりの摂取カロリー減量は、目標設定処理で求められた目標摂取カロリー減量に等しいとみなされる。このようにして煩雑な入力操作を省くことにより、ユーザーの負担を軽減できるという利点がある。
【００７８】
（８）変形例８
上述の各実施形態では、ユーザーがダイエットを開始するとき、当該ユーザーはダイエット開始時点での１日当たりの摂取カロリー量を入力端末４０に入力しているが、これに限らず、例えばダイエット開始前の所定期間（例えば１週間）にわたって、当該ユーザーが摂取した食品を毎食ごとに入力端末４０に入力させ、入力端末４０は、当該入力データに基づいて当該ユーザーのダイエット開始時点での１日当たりの摂取カロリー量を算出する態様であってもよい。または、「１日にご飯は何杯食べますか」「ご飯以外で摂取する炭水化物は、何で、何グラム食べますか」「脂っこいものは好きですか」「酒は、何を、何杯飲みますか」「間食は、何を、何グラム食べますか」などといった問答形式にして、その回答を入力端末４０に入力させ、入力端末４０は、その回答に基づいて当該ユーザーのダイエット開始時点での１日当たりの摂取カロリー量を算出する態様であってもよい。同様に、ダイエット開始時点での１日当たりの消費カロリー量についても問答形式とすることができる。さらに、上述の各実施形態では、ユーザーがダイエットを開始するとき、当該ユーザーは目標消費カロリー増量を入力端末４０に入力しているが、これに限らず、例えば当該ユーザーは、「１日に○○分多く歩く」といったように、具体的な歩行という運動に特化した情報を入力端末４０に入力し、入力端末４０は当該入力データに基づいて当該ユーザーの目標消費カロリー増量を算出するという態様とすることもできる。
【符号の説明】
【００７９】
１０……体組成計、１１……体重測定部、１２……生体インピーダンス測定部、１５……制御部、２０……活動量計、２１……加速度センサ、２６……制御部、３０……中間通信媒体、３６……第１コネクタ、３７……制御部、４０……入力端末、４２……第２コネクタ、４４……入力部、４８……制御部、５０……サーバ装置、５２……データベース部、５３……抽出部、５４……推定式作成部、５５……算出部、５６……制御部、１００，２００……健康管理システム、Ａ……ユーザー装置。
【図１】
2011123582.tif 000003
【図２】
2011123582.tif 000004
【図３】
2011123582.tif 000005
【図４】
2011123582.tif 000006
【図５】
2011123582.tif 000007
【図６】
2011123582.tif 000008
【図７】
2011123582.tif 000009
【図８】
2011123582.tif 000010
【図９】
2011123582.tif 000011
【図１０】
2011123582.tif 000012
【図１１】
2011123582.tif 000013
【図１２】
2011123582.tif 000014
【図１３】
2011123582.tif 000015
【図１４】
2011123582.tif 000016
【図１５】
2011123582.tif 000017
【図１６】
2011123582.tif 000018
【図１７】
2011123582.tif 000019